(57)【要約】【課題】  オーブンとレンジの機能により食材を内と外から調理することができるオーブンレンジを提供する。【解決手段】マイクロウェブ発生器と、内部カバーと、ガラスフレームとを含んでなり、上方と下方にそれぞれ１枚のネット状の上部カバーと、底部カバーが設けられ、該上部カバーの上方には１本もしくは複数の上部電熱管が設けられ、底部カバーは下方に１本もしくは複数の電熱管が設けられ、電熱管がネットを介して熱を放射して食材を焼く効果を達成し、マイクロウェブが遮断され、電熱管が火花を発生することを防ぐ構造からなる。【選択図】図１
2007187433.tif 000002
【特許請求の範囲】
【請求項１】
マイクロウェブ発生器と、内部カバーと、ガラスフレームとを含んでなり、
上方と下方にそれぞれ１枚のネット状の上部カバーと、底部カバーが設けられ、該上部カバーの上方には１本もしくは複数の上部電熱管が設けられ、底部カバーは下方に１本もしくは複数の電熱管が設けられ、電熱管がネットを介して熱を放射して食材を焼く効果を達成し、マイクロウェブが遮断され、電熱管が火花を発生することを防ぐ構造からなることを特徴とするオーブンレンジ。
【請求項２】
前記オーブンレンジはオーブン皿及びネットを具えてなり、該オーブン皿及びネットは耐熱性を具え、非導電性を具えてなることを特徴とする請求項１に記載のオーブンレンジ。
【請求項３】
前記底部カバーと、底部電熱管の下方には屑取り皿が設けられ、上方から下方に落ちてきた食材の油や屑を収納することがでいるため清潔さを保つことができる構造からなることを特徴とする請求項１に記載のオーブンレンジ。
【発明の詳細な説明】
【技術分野】
【０００１】
この発明は、オーブンレンジに関し、特に電子レンジとオーブンの機能を兼ね備えたオーブンレンジに関する。
【背景技術】
【０００２】
現在、市場で販売されている電子レンジは、食材を焼く場合に好ましい効果を得ることができないため、食材を加熱する場合にのみ使用していることが多い。原因は、耐熱食器は耐熱温度に制限が設けられているため、必ず金属製の食器を使用しなければならないが、金属製の食器を電子レンジで加熱する場合、火花が発生し易く、安全上問題があり、上下電熱管を設けることなく、放射線の方法で食材を焼く。上電熱管を利用する場合、陶器により遮断されて、熱の放射線が食材に作用することができず、食材を焼くために時間がかかるだけでなく、好ましい効果を得ることができない（電熱管も金属製品であるため、火花が発生し易い）。
【０００３】
市場で販売されているオーブンレンジは、食材を焼く場合、食材の表面が黒く焦がしてしまうが、中心部分はまだ焼けていない。よって、低温でゆっくりと焼かなければならず、鳥一羽を焼くために１時間以上必要になり、七面鳥などであれば、２時間以上必要になるため実用的でない。
【発明の開示】
【発明が解決しようとする課題】
【０００４】
この発明は、オーブンとレンジの機能により食材を内と外から調理することができるオーブンレンジを提供することを課題とする。
【課題を解決するための手段】
【０００５】
そこで、本発明者は従来の技術に見られる欠点に鑑みて鋭意研究を重ねた結果、マイクロウェブ発生器と、内部カバーと、ガラスフレームとを含んでなり、上方と下方にそれぞれ１枚のネット状の上部カバーと、底部カバーが設けられ、該上部カバーの上方には１本もしくは複数の上部電熱管が設けられ、底部カバーは下方に１本もしくは複数の電熱管が設けられ、電熱管がネットを介して熱を放射して食材を焼く効果を達成し、マイクロウェブが遮断され、電熱管が火花を発生することを防ぐ構造によって本発明の課題を解決できる点に着眼し、かかる知見に基づいて本発明を完成させた。
以下、この発明について具体的に説明する。
【０００６】
請求項１に記載のオーブンレンジは、マイクロウェブ発生器と、内部カバーと、ガラスフレームとを含んでなり、上方と下方にそれぞれ１枚のネット状の上部カバーと、底部カバーが設けられ、該上部カバーの上方には１本もしくは複数の上部電熱管が設けられ、底部カバーは下方に１本もしくは複数の電熱管が設けられ、電熱管がネットを介して熱を放射して食材を焼く効果を達成し、マイクロウェブが遮断され、電熱管が火花を発生することを防ぐ構造からなる
【０００７】
請求項２に記載のオーブンレンジは、請求項１におけるオーブンレンジがオーブン皿及びネットを具えてなり、該オーブン皿及びネットは耐熱性を具え、非導電性を具えてなる。
【０００８】
請求項３に記載のオーブンレンジは、請求項１における底部カバーと、底部電熱管の下方には屑取り皿が設けられ、上方から下方に落ちてきた食材の油や屑を収納することがでいるため清潔さを保つことができる構造からなる。
【発明の効果】
【０００９】
この発明のオーブンレンジは食材を調理する時間を削減することができるという効果を有する。
【発明を実施するための最良の形態】
【００１０】
この発明は、マイクロウェブ発生器と、内部カバーと、ガラスフレームとを含んでなり、上方と下方にそれぞれ１枚のネット状の上部カバーと、底部カバーが設けられ、該上部カバーの上方には１本もしくは複数の上部電熱管が設けられ、底部カバーは下方に１本もしくは複数の電熱管が設けられ、電熱管がネットを介して熱を放射して食材を焼く効果を達成し、マイクロウェブが遮断され、電熱管が火花を発生することを防ぐ構造からなる。
係る構成のオーブンレンジの構造ついて、その構造と特徴を詳述するために具体的な実施例を挙げ、以下に説明する。
【実施例】
【００１１】
図１、２に、この発明のオーブンレンジを開示する。図面によれば、マイクロウェブ発生器と、内部カバー１と、該内部カバー１に形成された食材を載せるネットを支える支持部材１２と、右内部カバー２と、該右内部カバー２に形成されたマイクロウェブの導入口２１と、該右内部カバー２に該支持部材１２に対応するように形成された食材を載せるネットを支える支持部材２２と、後方内部カバー３と、風とマイクロウェブの遮断口３１と、風を起こすモーター３２と、上部電熱管４と、底部電熱管５と、上部カバー６と、底部カバー７と、ドア８と、ガラス窓及び前方マイクウェブ遮断ネット８１と、屑取り皿９と、ネット１３（陶磁器もしくは微小な結晶から形成したガラス）と、オーブン皿１４（陶磁器もしくは微小な結晶から形成したガラス）などを含んでなる。
【００１２】
この発明は上方と下方にそれぞれネット状の上部カバー６と、底部カバー７とを設けてなる。該上部カバー６は、上方に１本もしくは複数の上部電熱管４を設けてなり、底部カバー７は下方に１本もしくは複数の底部電熱管５を設けてなる。該上部電熱管４、底部電熱管５はネットの孔を介して熱を放射して、食材を焼く効果を達成し、マイクロウェブが遮断カバーを介することがなく、上部電熱管４、底部電熱管５が火花を発生することがない。
【００１３】
使用する場合、食材をネット１３もしくはオーブン皿１４上に載せてオーブンレンジの内部に入れ、ネット１３もしくはオーブン皿１４を支持部材１２、２２上に載せ、マイクロウェブで内部を加熱する。該風の吹き出し口及びマイクロウェブの遮断口３１と、上部カバー６と、底部カバー７と、ガラス窓および前方マイクロウェブ遮断ネット８１がマイクロウェブの外漏れ、もしくは他の金属製の部材が火花を起こすことを防ぐ。マイクロウェブで数分加熱した後、オーブンレンジのコントロールパネルでマイクロウェブによる加熱を停止するように制御すると、上部電熱管４と、底部電熱管５に電気が通り発熱して熱を放射すると同時にモーター３２が始動して、熱が均一に放射される。食材の屑は底部カバー７上の孔を介して屑取り皿９上に屑が落ちるため清潔さを保つことができる。
【００１４】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許登録請求の範囲に属するものとする。
【図面の簡単な説明】
【００１５】
【図１】この発明のオーブンレンジを示した分解図である。
【図２】この発明のオーブンレンジのネット及びオーブン皿を示した斜視図である。
【符号の説明】
【００１６】
１        内部カバー
１２      支持部材
１３      ネット
１４      オーブン皿
２        右内部カバー
２１      導入口
２２      支持部材
３        後方内部カバー
３１      遮断口
３２      モーター
４        上部電熱管
５        底部電熱管
６        上部カバー
７        底部カバー
８        ドア
８１      遮断ネット
９        屑取り皿
【図１】
2007187433.tif 000003
【図２】
2007187433.tif 000004